(57)【要約】【課題】風向変更装置の左右羽根を常に送風の主流部に移動して風向変更効果の向上を図りつつ角度変更を自動で行う。【解決手段】上下フラップ１２の回転軸２７と同心の摺動軸Ｂ３２と、摺動軸Ｂ３２に連結した左右羽根駆動機構３３と、摺動軸Ａ３１と左右羽根１４の羽根軸１８を支持する嵌め込み孔１７を有して左右羽根１４を支持する支持桟１５と、複数の左右羽根１４の固定軸２０を連結して回転軸１８を中心に回転させる連結桟１６とを備え、リンクＡ３４を摺動軸Ｂ３２に回転自在に保持するとともに摺動軸Ａ３１に摺動回転自在に接続し、リンクＡ３４の摺動と同時に摺動軸Ａ３１を摺動回転自在に移動するリンクＢ３５を備えてリンクＢ３５を連結桟１６に係合した構成とし、左右羽根駆動機構３３により摺動軸Ｂ３２を左右方向に移動し、リンクＡ３４とリンクＢ３５とを摺動して連結桟１６を左右に移動し、左右羽根１４を自動で左右方向に角度変更する。【選択図】図３
2011033306.tif 000002
【特許請求の範囲】
【請求項１】
空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記上下フラップの上下方向の回動に連動して、前記左右フラップを前記吹出口の下面に沿って送風方向の上流側または下流側に移動させる構成とした風向変更装置において、
前記上下フラップの回転軸と同心であって前記左右羽根駆動機構に連結されて軸方向に移動する摺動軸Ｂと、前記連結桟とを連動させるリンク機構とを具備し、前記左右羽根駆動機構により前記摺動軸Ｂを左右方向に移動させ、前記リンク機構を中継して前記連結桟を左右方向に移動し、前記左右羽根を左右方向に角度変更する構成としたことを特徴とする空気調和機の風向変更装置。
【請求項２】
空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記上下フラップの上下方向の回動に連動して、前記左右フラップを前記吹出口の下面に沿って送風方向の上流側または下流側に移動させる構成とした風向変更装置において、
前記支持桟に前記支持桟回転軸と同心で延出した摺動軸Ａと、前記上下フラップの回転軸と同心であって前記左右羽根駆動機構に連結されて軸方向に移動する摺動軸Ｂと、一方を前記摺動軸Ｂに回転自在に保持され、他方を前記摺動軸Ａに回転自在、且つ前記摺動軸Ａ上を摺動するように接続されるリンクＡと、一方を前記リンクＡと一体的に摺動するように摺動且つ回転自在に摺動軸Ａに保持され、他方を前記連結桟より延出した軸と係合する長孔を備えたリンクＢとを具備し、前記左右羽根駆動機構により前記摺動軸Ｂを左右方向に移動させ、前記リンクＡと前記リンクＢとを前記摺動軸Ａで摺動させることにより前記連結桟を左右方向に移動し、前記左右羽根を左右方向に角度変更する構成としたことを特徴とする空気調和機の風向変更装置。
【請求項３】
空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記支持桟は、所定の位置に支持桟回転軸と、前記支持桟回転軸と所定の距離だけ離して前記支持桟から延出配置された係合軸とを有し、前記上下フラップは、少なくとも両端に回転軸と、前記支持桟回転軸を前記回転軸とは所定の距離だけ離して回動可能に支持する支持孔を設けた支持アームとを有し、前記吹出口には前記係合軸を移動可能に保持するとともに所定の方向に動作を規制するガイドを有し、前記上下フラップの上下方向の回動に連動して、前記左右フラップを前記吹出口の下面に沿って送風方向の上流側または下流側に移動させる構成とした風向変更装置において、
前記上下フラップの回転軸と同心であって前記左右羽根駆動機構に連結されて軸方向に移動する摺動軸Ｂと、前記連結桟とを連動させるリンク機構とを具備し、前記左右羽根駆動機構により前記摺動軸Ｂを左右方向に移動させ、前記リンク機構を中継して前記連結桟を左右方向に移動し、前記左右羽根を左右方向に角度変更する構成としたことを特徴とする空気調和機の風向変更装置。
【請求項４】
空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する
支持桟と、前記複数の羽根を左右に連動して回動させるための連結桟とを備え、前記支持桟は、所定の位置に支持桟回転軸と、前記支持桟回転軸と所定の距離だけ離して前記支持桟から延出配置された係合軸とを有し、前記上下フラップは、少なくとも両端に回転軸と、前記支持桟回転軸を前記回転軸とは所定の距離だけ離して回動可能に支持する支持孔を設けた支持アームとを有し、前記吹出口には前記係合軸を移動可能に保持するとともに所定の方向に動作を規制するガイドを有し、前記上下フラップの上下方向の回動に連動して、前記左右フラップを前記吹出口の下面に沿って送風方向の上流側または下流側に移動させる構成とした風向変更装置において、
前記支持桟に前記支持桟回転軸と同心で延出した摺動軸Ａと、前記上下フラップの回転軸と同心であって前記左右羽根駆動機構に連結されて軸方向に移動する摺動軸Ｂと、一方を前記摺動軸Ｂに回転自在に保持され、他方を前記摺動軸Ａに回転自在、且つ前記摺動軸Ａ上を摺動するように接続されるリンクＡと、一方を前記リンクＡと一体的に摺動するように摺動且つ回転自在に摺動軸Ａに保持され、他方を前記連結桟より延出した軸と係合する長孔を備えたリンクＢとを具備し、前記左右羽根駆動機構により前記摺動軸Ｂを左右方向に移動させ、前記リンクＡと前記リンクＢとを前記摺動軸Ａで摺動させることにより前記連結桟を左右方向に移動し、前記左右羽根を左右方向に角度変更する構成としたことを特徴とする空気調和機の風向変更装置。
【発明の詳細な説明】
【技術分野】
【０００１】
本発明は空気調和機の風向変更装置に関するものである。
【背景技術】
【０００２】
従来の空気調和機の風向変更装置は上下フラップの動作に連動して左右フラップを常に送風の主流部に移動配置し、風向変更効果の向上を図ったものがある（例えば、特許文献１参照）。
【０００３】
また、上下フラップに左右フラップを配し、且つ左右フラップを自動で角度変更するものがある（例えば、特許文献２参照）。
【先行技術文献】
【特許文献】
【０００４】
【特許文献１】特開２００２−２９５８８９号公報
【特許文献２】特開２００１−２０８４１５号公報
【発明の概要】
【発明が解決しようとする課題】
【０００５】
しかしながら、特許文献１に記載の風向変更装置にあっては、左右フラップの角度変更が手動でしかできないという問題がある。
【０００６】
一方、特許文献２に記載の風向変更装置は左右フラップを自動で動かすことが可能であるが左右フラップを上下羽根に固定しているため、上下フラップを上にした場合、左右フラップの位置が吹出口の上部に移動し、吹き出し口の下部に左右フラップが存在しない状態が生じ、左右羽根を通過しない吹き出し風の割合が増え、風向変更作用が低下するという課題を有していた。
【０００７】
本発明は従来技術のこのような問題点に鑑みてなされたものであり、上下フラップの動作に連動して左右フラップを常に送風の主流部に移動配置して、風向変更効果の向上を図り、かつ左右フラップを自動で左右風向角度変更を行う構造を有し、風向変更効果の向上を図った空気調和機の風向変更装置を提供することを目的としている。
【課題を解決するための手段】
【０００８】
上記目的を達成するために、本発明の空気調和機の風向変更装置は、空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記上下フラップの上下方向の回動に連動して、前記左右フラップを前記吹出口の下面に沿って送風方向の上流側または下流側に移動させる構成とした風向変更装置において、前記上下フラップの回転軸と同心であって前記左右羽根駆動機構に連結されて軸方向に移動する摺動軸Ｂと、前記連結桟とを連動させるリンク機構とを具備し、前記左右羽根駆動機構により前記摺動軸Ｂを左右方向に移動させ、前記リンク機構を中継して前記連結桟を左右方向に移動し、前記左右羽根を左右方向に角度変更する構成としたことを特徴とする。
【０００９】
この構成によれば、上下フラップに連動して、左右フラップが常に送風の主流部に位置し、吹き出し口下方部に風が左右フラップに当たらない部分が発生すること無く風の左右
の吹き分けを自動で行うことができ、送風性能の向上を図ることができる。
【００１０】
また、本発明の空気調和機の風向変更装置は、空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記支持桟は、所定の位置に支持桟回転軸と、前記支持桟回転軸と所定の距離だけ離して前記支持桟から延出配置された係合軸とを有し、前記上下フラップは、少なくとも両端に回転軸と、前記支持桟回転軸を前記回転軸とは所定の距離だけ離して回動可能に支持する支持孔を設けた支持アームとを有し、前記吹出口には前記係合軸を移動可能に保持するとともに所定の方向に動作を規制するガイドを有し、前記上下フラップの上下方向の回動に連動して、前記左右フラップを前記吹出口の下面に沿って送風方向の上流側または下流側に移動させる構成とした風向変更装置において、前記支持桟に前記支持桟回転軸と同心で延出した摺動軸Ａと、前記上下フラップの回転軸と同心であって前記左右羽根駆動機構に連結されて軸方向に移動する摺動軸Ｂと、一方を前記摺動軸Ｂに回転自在に保持され、他方を前記摺動軸Ａに回転自在、且つ前記摺動軸Ａ上を摺動するように接続されるリンクＡと、一方を前記リンクＡと一体的に摺動するように摺動且つ回転自在に摺動軸Ａに保持され、他方を前記連結桟より延出した軸と係合する長孔を備えたリンクＢとを具備し、前記左右羽根駆動機構により前記摺動軸Ｂを左右方向に移動させ、前記リンクＡと前記リンクＢとを前記摺動軸Ａで摺動させることにより前記連結桟を左右方向に移動し、前記左右羽根を左右方向に角度変更する構成としたことを特徴とする。
【００１１】
この構成により、上下フラップの回転角度が大きくても２つのリンクで角度差を吸収することができる。
【発明の効果】
【００１２】
本発明によれば、上下フラップに連動して、左右フラップが常に送風の主流部に位置し、吹き出し口下方部に風が左右フラップに当たらない部分が発生すること無く風の左右の吹き分けを自動で行うことができ、送風性能の向上を図ることができる。
【図面の簡単な説明】
【００１３】
【図１】本発明の実施の形態１における空気調和機の風向変更装置を用いた空気調和機の斜視図
【図２】本発明の実施の形態１における風向変更装置を用いた空気調和機の縦断面図
【図３】本発明の実施の形態１における風向変更装置の上下フラップを除いた状態の上方からの斜視図
【図４】（ａ）図３の左側左右フラップの要部拡大図、（ｂ）（ａ）の側壁側の要部分解図、（ｃ）（ａ）の要部拡大図
【図５】（ａ）本発明の風向変更装置の上下フラップの下方からの斜視図、（ｂ）は図４（ａ）に左側左右フラップを組み込んだ状態の斜視図
【図６】上下フラップ閉時の上下フラップと左右フラップの連結桟駆動部の側面図（ａ）左右フラップの連結桟を駆動するリンク近傍の側面図、（ｂ）吹出口の中央支持部近傍の側面図
【図７】上下フラップ下向き時の上下フラップと左右フラップの連結桟駆動部の側面図（ａ）左右フラップの連結桟を駆動するリンク近傍の側面図、（ｂ）吹出口の中央支持部近傍の側面図
【図８】上下フラップ上向き時の上下フラップと左右フラップの連結桟駆動部の側面図（ａ）左右フラップの連結桟を駆動するリンク近傍の側面図、（ｂ）吹出口の中央支持部近傍の側面図
【図９】本発明の実施の形態１における風向変更装置の左右フラップが前向き状態の下面図
【図１０】（ａ）本発明の実施の形態１における風向変更装置の左右フラップが右向き状態の下面図、（ｂ）（ａ）の要部拡大図
【発明を実施するための形態】
【００１４】
本発明の空気調和機の風向変更装置は、空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記上下フラップの上下方向の回動に連動して、前記左右フラップを前記吹出口の下面に沿って送風方向の上流側または下流側に移動させる構成とした風向変更装置において、前記上下フラップの回転軸と同心であって前記左右羽根駆動機構に連結されて軸方向に移動する摺動軸Ｂと、前記連結桟とを連動させるリンク機構とを具備し、前記左右羽根駆動機構により前記摺動軸Ｂを左右方向に移動させ、前記リンク機構を中継して前記連結桟を左右方向に移動し、前記左右羽根を左右方向に角度変更する構成としたことを特徴とする。
【００１５】
また、本発明の空気調和機の風向変更装置は、空気調和機の送風ファンの下流に設けられた吹出口と、前記吹出口に設けた風向きを上下に変更する上下フラップと、風向きを左右に変更する左右フラップと、左右羽根駆動機構とを具備し、前記左右フラップは、複数の羽根と、前記複数の羽根を回動可能に支持する支持桟と、前記複数の羽根を左右に連動して回動させるための連結桟とを備え、前記支持桟は、所定の位置に支持桟回転軸と、前記支持桟回転軸と所定の距離だけ離して前記支持桟から延出配置された係合軸とを有し、前記上下フラップは、少なくとも両端に回転軸と、前記支持桟回転軸を前記回転軸とは所定の距離だけ離して回動可能に支持する支持孔を設けた支持アームとを有し、前記吹出口には前記係合軸を移動可能に保持するとともに所定の方向に動作を規制するガイドを有し、前記上下フラップの上下方向の回動に連動して、前記左右フラップを前記吹出口の下面に沿って送風方向の上流側または下流側に移動させる構成とした風向変更装置において、前記支持桟に前記支持桟回転軸と同心で延出した摺動軸Ａと、前記上下フラップの回転軸と同心であって前記左右羽根駆動機構に連結されて軸方向に移動する摺動軸Ｂと、一方を前記摺動軸Ｂに回転自在に保持され、他方を前記摺動軸Ａに回転自在、且つ前記摺動軸Ａ上を摺動するように接続されるリンクＡと、一方を前記リンクＡと一体的に摺動するように摺動且つ回転自在に摺動軸Ａに保持され、他方を前記連結桟より延出した軸と係合する長孔を備えたリンクＢとを具備し、前記左右羽根駆動機構により前記摺動軸Ｂを左右方向に移動させ、前記リンクＡと前記リンクＢとを前記摺動軸Ａで摺動させることにより前記連結桟を左右方向に移動し、前記左右羽根を左右方向に角度変更する構成としたことを特徴とする。
【００１６】
この構成により、上下フラップに連動して、左右フラップが常に送風の主流部に位置し、吹き出し口下方部に風が左右フラップに当たらない部分が発生すること無く風の左右の吹き分けを自動で行うことができる。また、リンク機構をリンクＡとリンクＢとの２つの中継で構成することにより、上下フラップの回転角度が大きく連結桟との相対角度の変化が大きくても吸収することができる。
【００１７】
以下、本発明の実施の形態について図面を用いて説明をする。なお、この実施の形態によって本発明が限定されるものではない。
【００１８】
図１は本発明における空気調和機の風向変更装置を用いた空気調和機本体の斜視図、図２は本発明による空気調和機の風向変更装置を用いた空気調和機の縦断面図である。図３
は本発明による空気調和機の風向変更装置の上下フラップを除いた状態の上方からの斜視図、図４（ａ）は図３の左側左右フラップの要部拡大図、図４（ｂ）は図４（ａ）の側壁側の要部分解図、図４（ｃ）は図４（ａ）の要部拡大図である。図５（ａ）は本発明による空気調和機の風向変更装置の上下フラップの下方からの斜視図で左側のみを示し、図５（ｂ）は図５（ａ）に左側左右フラップを組み込んだ状態の斜視図である。図６（ａ）、図７（ａ）、図８（ａ）は風向変更装置の左右フラップの連結桟を駆動するリンク近傍の側面図、図６（ｂ）、図７（ｂ）、図８（ｂ）は吹出口の中央支持部近傍の側面図で、図６、図７、図８はそれぞれ上下フラップの開度を変えた状態で、図６は上下フラップ閉時、図７は下向き（４５°開）時、図８は上向き（水平）時を示している。図９は本発明による空気調和機の風向変更装置の下面図で左右フラップが正面向きの状態を示し、図１０（ａ）は同じく左右フラップが右向きの状態を示し、図１０（ｂ）は図１０（ａ）の要部拡大図で連結桟１６の動きを示す。
【００１９】
図１〜２に示すように、空気調和機の本体１とファンケース２とスタビライザ３および吸入グリル４で送風通路６を構成している。空気の流れ５は、室内空気が送風通路６に配設した送風ファン７により吸入グリル４から吸入され、熱交換器８で熱交換されて送風通路６の下流側のファンケース２とスタビライザ３と左右の側壁９とにより形成される吹出口１０から風向変更装置１１を経由して室内に送風される。
【００２０】
風向変更装置１１は、上下方向に風向を調節する上下フラップ１２と左右方向に風向を調節する左右フラップ１３（左側左右フラップ１３Ｌ、右側左右フラップ１３Ｒ）とを有し、これらを動かす駆動機構３３（図３）とで構成されている。
【００２１】
図３、図４（ａ）〜（ｃ）および図５（ａ），（ｂ）に示すように、左右フラップ１３（１３Ｌ，１３Ｒ）は複数の左右羽根１４と、左右羽根１４の回転支点の基板となる支持桟１５と、左右羽根１４の動きを連動させる連結桟１６とから構成されている。左右羽根１４の上部片端には支持桟１５に設けられた略鍵穴状の嵌め込み孔１７に嵌め込み移動して回転可能に嵌合する羽根軸１８が設けられ、左右羽根１４の上部中央近傍には連結桟１６に設けられた固定穴１９に回転可能に嵌合する固定軸２０が設けられている。複数の左右羽根１４はこれらの羽根軸１８及び固定軸２０のそれぞれで、支持桟１５と連結桟１６とに結合されている。このようにして、連結桟１６を左右に動かすと、全部の左右羽根を同一方向に動かすことを可能としている。本発明の実施の形態では左右対称の左右フラップ１３を一対（左側左右フラップ１３Ｌ、右側左右フラップ１３Ｒ）用いて空気調和機の吹出口１０に配置し、空気調和機の風向変更装置１１を構成している。
【００２２】
支持桟１５には、上下フラップ１２と連結するために所定の位置で支持桟回転軸２１が備えられ、支持桟１５の吹出口中央側端部には支持桟回転軸２１の中心から係合板２２によって所定距離だけ離間して係合軸２３が設けられている。係合板２２は支持桟１５に対して固定されている。
【００２３】
また図４（ａ）において、支持桟１５には、係合板２２の反対側に支持桟回転軸２１と同心で円形断面の摺動軸Ａ３１が延出して設けられ、その先端近傍に上下フラップ１２の支持アーム２５ａと連結する支持桟回転軸２１がさらに設けられている。
【００２４】
図５（ａ）に示す上下フラップ１２は、横長で短辺方向にわずかに湾曲した平板形状の上下翼２４と、上下翼２４の下面側に延出配置されて支持桟１５の支持桟回転軸２１と連結するために所定位置に設けられた複数の支持アーム２５ａ，２５ｂ，２５ｃ，２５ｄ，２５ｅにより構成されている。支持アーム２５ａ，２５ｂ，２５ｃ，２５ｄ，２５ｅには、それぞれ前方を開口した支持孔２６が設けられているとともに、上下フラップ１２の両端部に位置する支持アーム２５ｆの外側と中央部に位置する２本の支持アーム２５ｄ，２
５ｅ間には、支持孔２６と所定距離だけ軸心位置をずらせて上下フラップ１２自体の回転軸２７が設けられている。支持アーム２５ｆの回転軸２７は上下フラップ１２の両端に形成されて側壁９の軸孔９ａに、中央部の回転軸２７は嵌合孔２９に回転自在に嵌合する（図４（ａ）参照）。
【００２５】
更に図４（ａ）、図５（ｂ）において、吹出口１０の側壁９と左側左右フラップ１３Ｌとの間に、上下フラップ１２の回転軸２７と同心位置で摺動軸Ｂ３２を配している。摺動軸Ｂ３２の側壁９側は、側壁９の外側に配した左右羽根駆動機構３３のアーム３６とビス３７で接続されており、左右羽根駆動装置３３に搭載したモータ３８でアーム３６を左右方向に駆動することにより摺動軸Ｂ３２は左右方向に摺動する。
【００２６】
図４（ｂ）において、リンクＡ３４は上下フラップ１２の支持孔２６と回転軸２７の距離に等しいピッチを持つ２個の孔３４ａ，３４ｂを有し、孔３４ａを摺動軸Ｂ３２に回転自在に嵌合し、他方の孔３４ｂを摺動軸Ａ３１上を摺動し、且つ回転自在に嵌合している。摺動軸Ｂ３２の先端にはリブ３２ａが有り、リブ幅はリンクＡ３４の孔３４ａのスリット３４ｃの幅より小さくしてあり、リブ３２ａとスリット３４ｃの方向を合わせて挿入後、所定の角度回転することにより抜け防止となる。逆方向の抜け防止は円周リブ３２ｂにて行う。
【００２７】
また、リンクＢ３５は、リンクＡ３４の孔３４ｂを両側から挟み、リンクＡ３４の左右の動きと一体的に左右に摺動する。リンクＢ３５の他方には長孔３５ａを有しており、連結桟１６から延出された軸１６ａが回転摺動自在に係合している。これらのリンクＡ３４とリンクＢ３５とを用いて左右羽根駆動機構３３と連結桟１６とを間接的に連結する構成とすることにより、左右羽根駆動装置３３を固定した状態でも上下フラップ１２と左右フラップ１３との一体的な回転動作が可能となる。
【００２８】
図３〜図５に示すように、上下フラップ１２には左右一対の左右フラップ１３（１３Ｌ，１３Ｒ）が吹出口１０の中央に設けた中央支持部２８に組み込まれて風向変更装置１１が完成する。
【００２９】
中央支持部２８は吹出口１０の左右方向中央部にスタビライザ３に固定されて配置されている。中央支持部２８には、上下フラップ１２の中央部に位置する支持アーム２５ｄ，２５ｅの間に設けられた回転軸２７を回動自在に支持する嵌合穴２９と、支持桟１５に設けられた係合軸２３を係合するための弓形形状のガイド溝３０を設けている。中央部の回転軸２７は嵌合孔２９に回転可能に嵌め合わされて上下フラップ１２の回転を支持し、係合軸２３はガイド溝３０に移動自在に嵌め合わされて支持桟１５の係合軸２３がガイド溝３０に沿って移動可能な構成としている。
【００３０】
次に、風向変更装置１１の組み立てと吹出口１０への組み込みについて図を用いて説明する。先ず、図３の状態にブロック化して組み立てられた一対の左右フラップ１３（１３Ｌ，１３Ｒ）を、図５（ａ），（ｂ）に示すように、支持桟１５に設けられた支持桟回転軸２１を上下フラップ１２の支持アーム２５ａ，２５ｂ，２５ｃ、２５ｄ、２５ｅに設けられた支持孔２６に挿入嵌合して、上下フラップ１２と左右フラップ１３からなる風向変更装置１１が完成する。
【００３１】
次に、その風向変更装置１１を空気調和機の吹出口１０に挿入配置する。このとき図３〜図５に示すように中央部の支持アーム２５ｄ、２５ｅに設けられた回転軸２７は、中央支持部２８に設けられた嵌合穴２９に回転可能に嵌め込まれ、さらに係合軸２３はガイド溝３０に挿入される。
【００３２】
また、上下フラップ１２の支持アーム２５ｆに設けられた回転軸２７は吹出口１０の左右両方（右側図示せず）の側壁９に設けた軸孔９ａに挿入されて回動自在に軸支される。左右羽根駆動機構３３は、吹き出しグリル９に、風向変更装置１１を固定した後に、側壁９ｂの外側に固定し、左右羽根駆動装置３３のアーム３６と摺動軸Ｂ３２とをビス３７で連結固定する。
【００３３】
また、風向変更装置１１は上下方向に自動で回動するために、上下フラップ１２の左右両端のいずれかの回転軸２７においてステッピングモータ等からなる駆動モータの回転軸に連結されている（図示せず）。
【００３４】
さらに上記構成による風向変更装置の動作について図６〜図８を用いて説明する。図６（ａ），（ｂ）は上下フラップ１２が閉じられた状態、図７（ａ），（ｂ）は下向き４５°時で上下フラップ１２が中間に開放された状態、さらに図８（ａ），（ｂ）は上向き水平時で上下フラップ１２を全開にした状態を示している。
【００３５】
空気調和機が停止状態では図６に示すように閉じられた状態とし、冷房運転時には送風される冷風を上向き方向に制御するため、図７の中間状態から図８の全開状態の間を上下に揺動したり固定したりしている。一方、暖房運転状態では立ち上げ運転時は図８に示す全開状態で暫く運転し、安定運転時は送風される温風を下向き方向に制御するため図７の中間状態としている。
【００３６】
この時、図７から図８の状態に上下フラップ１２が上方向に回転するにつれ、左右フラップ１３の左右羽根１４は矢印Ａで示すように、吹出口１０下面のファンケース２にほぼ平行に上流側から下流側に移動し、吹き出し口１０より吹き出される空気５の主流部に常に左右羽根１４が位置する。
【００３７】
また、左右フラップ１３の左右羽根１４の動作は、支持桟１５の支持桟回転軸２１と係合板２２の係合軸２３との距離および係合部板２２の支持桟１５への取り付け角度、ガイド溝３０の形状によって規制される。すなわち、上下フラップ１２を上向き方向にすると、それぞれの支持アーム２５ａ〜ｆが回転軸２７を中心として回転し、支持孔２６に嵌め込まれた左右フラップ１３が支持桟１５の支持桟回転軸２１を回転しながら送風方向の下流側に移動する。支持桟回転軸２１には係合板２２を介して係合軸２３が延出配置されており、支持桟回転軸２１の回転移動に伴い係合軸２３も送風方向の下流側に回転移動しようとするが、係合軸２３は中央桟２８に設けられたガイド溝３０に嵌め込まれているため、ガイド溝３０の形状に沿って移動するため回転が規制される。その係合軸２３の動きを図６（ｂ）、図７（ｂ）、図８（ｂ）に示す。
【００３８】
したがって、左右フラップ１３の移動経路をこのガイド溝３０の形状によって制御することができる。その形状を左右羽根１４がファンケース２と略平行に移動する形状とすることにより、左右羽根１４をファンケース２と平行に送風方向下流側に移動させることができる。ガイド溝が無ければ図６（ａ）の状態から図７（ｂ）まで上下フラップ１２が回転した時、左右羽根１４は図７（ａ）の２点鎖線で示す位置に移動してしまうことになる。
【００３９】
次に、左右フラップ１３の左右羽根１４の左右への角度変更について図４、図９および図１０を用いて説明する。図９は本発明の左右羽根変更装置の正面吹き出しの状態、図１０は同じく右方向吹き出しの状態を示す下面図である。左右羽根駆動機構３３に内臓したモータ３８にてアーム３６を矢印Ｂ方向に移動すると、アーム３６に固定された摺動軸Ｂ３２も矢印Ｂ方向にスライドし、摺動軸Ｂ３２に回転自在で摺動方向には固定されたリンクＡ３４も矢印Ｂ方向に移動する。リンクＢ３５は、摺動軸Ａ３１上でリンクＡ３４を挟
む形で組みつけられており、アーム３６と同じ矢印Ｂ方向に摺動して移動する。
【００４０】
リンクＢ３５は先端に長孔３５ａを有しており、この長孔３５ａに連結桟１６より延出した軸１６ａが挿入されており、リンクＢ３５の動きに合せて連結桟１６も矢印Ｂ方向に移動する。図１０（ａ），（ｂ）は連結桟１６が矢印Ｂ方向に動いた状態を示している。軸１６ａの先端にはリンクＢ３５が外れないようにフランジ状のストッパー１６ｂ（図３（ｃ）参照）を備えている。
【００４１】
連結桟１６が移動する事により、固定軸２０で回転自在に連結桟１６に固定された左右羽根１４は羽根軸１８を支点として回転する。連結桟１６の軸１６ａは、図１０（ａ），（ｂ）の二点鎖線で示すように左右羽根１４の羽根軸１８を中心として回転して弧を描くためリンクＢ３５と同じように矢印Ｂ方向に距離Ｌ１だけスライドしながら、矢印Ｂ方向の直角方向にも距離Ｌ２だけ移動する。そのためリンクＢ３５の先端に長孔３５ａ（図３（ｃ）参照）を備えている。
【００４２】
次に、リンクＡ３４の必要性を説明する。例えば、リンクＡ３４を無くしてリンクＢ３５の孔３５ｂを摺動軸Ａ３１ではなく摺動軸Ｂ３２に回転自在に固定し、長孔３５ａを連結桟１６の軸１６ａに嵌合する構成を考える。連結桟１６は上下フラップ１２が回転するのに合わせて回転し、摺動軸Ｂ３２すなわち上下フラップ１２の回転軸２７との相対位置は図６（ａ）と図７（ａ）とに示すように変化し、回転軸２７の軸心と左右羽根１４の固定軸２０の軸心との距離Ｌ３が変化する。距離Ｌ３の変化はリンクＢ３５の長孔３５ａの長さを大きくすることにより対応できるが、連結桟１６のリンクＢ３５と接する面は摺動軸Ａとの相対角度Ｃ（図５（ａ）、図６（ａ）参照）が大きく変化するため同じ形状のリンクでは対応できない。そのため、リンクＡ３４で摺動軸Ｂ３２と摺動軸Ａ３１とを中継した後、相対位置の変わらない摺動軸Ａ３１と連結桟１６とをリンクＢ３５で接続し矢印Ｂ方向の動作を伝達している。
【００４３】
上記構成により左右羽根１４は、上下羽根フラップ１２の位置に左右されず常に吹き出される空気の主流の位置に移動し、左右への角度を変更することが可能であり、この吹き分けを左右羽根駆動機構３３により自動で行うことができ、送風性能の向上を図ることができる。
【００４４】
なお、本実施の形態１では、上記説明したように上下フラップ１２の回転角度が大きく相対角度Ｃが大きく変化するためリンクＡ３４を用いたが、図６の上下フラップ１２で吹出口１０を閉鎖する状態がなく、図７と図８の状態の間だけで動作するような回転角度を小さく構成するものであれば、連結桟１６とリンクＢ３５との係合に余裕度を持たせることで、リンクＡ３４はなくても構成することができる。また、連結桟１６が位置する角度を調整することでも可能である。
【００４５】
また、左右への角度は、左右羽根駆動機構３３に収納されたモータ３８の回転角度により規定される。アーム３６を図９の矢印Ｂ方向と逆に動かすと左右羽根１３は逆方向に角度変更され吹き出し風は左方向に変更される。
【産業上の利用可能性】
【００４６】
以上のように本発明の風向変更装置によれば、上下フラップの上下方向の回動に連動して、左右フラップを吹出口より吹き出す吹き出し風の主流の位置に移動することができ、且つ、左右フラップの角度変更を自動で行うことができる。その結果、吹出口の下方部で左右フラップに当たらない部分が発生することなく送風の左右の吹き分けが自動でなされ、風向変更効果を向上させることができるので、空気調和機に限らず、除湿器や空気清浄機など送風機能を有するものであれば適用することができる。
【符号の説明】
【００４７】
１  本体
２  ファンケース
３  スタビライザ
４  吸入グリル
５  空気の流れ
６  送風回路
７  送風ファン
８  熱交換器
９  吹き出しグリル
９ａ  軸孔
９ｂ  側壁
１０  吹き出し口
１１  風向変更装置
１２  上下フラップ
１３  左右フラップ
１４  左右羽根
１５  支持桟
１６  連結桟
１６ａ  軸
１６ｂ  ストッパー
１７  嵌め込み孔
１８  羽根軸
１９  固定孔
２０  固定軸
２１  支持桟回転軸
２２  係合板
２３  係合軸
２４  上下翼
２５ａ，２５ｂ，２５ｃ，２５ｄ，２５ｅ，２５ｆ  支持アーム
２６  支持孔
２７  回転軸
２８  中央支持部
２９  嵌合孔
３０  ガイド溝
３１  摺動軸Ｂ
３２  摺動軸Ａ
３２ａ  リブ
３３  左右羽根駆動機構
３４  リンクＡ
３４ａ  孔
３４ｂ  孔
３４ｃ  スリット
３５  リンクＢ
３５ａ  長孔
３５ｂ  孔
３６  アーム
３７  ビス
３８  モータ
【図１】
2011033306.tif 000003
【図２】
2011033306.tif 000004
【図３】
2011033306.tif 000005
【図４】
2011033306.tif 000006
【図５】
2011033306.tif 000007
【図６】
2011033306.tif 000008
【図７】
2011033306.tif 000009
【図８】
2011033306.tif 000010
【図９】
2011033306.tif 000011
【図１０】
2011033306.tif 000012